【事件の表示】
　特許第６４１５８９９号発明「圧延用複合ロールの外層材の製造方法及び圧延用複合ロールの製造方法」の特許異議申立事件について、次のとおり決定する。
【結　論】
　特許第６４１５８９９号の特許請求の範囲を訂正請求書に添付された訂正特許請求の範囲のとおり、訂正後の請求項〔１−５〕について訂正することを認める。
　特許第６４１５８９９号の請求項１ないし５に係る特許を維持する。
【理　由】
第１．手続の経緯  
　特許第６４１５８９９号の請求項１ないし５に係る特許についての出願は、平成２６年８月２５日に特許出願され、平成３０年１０月１２日付けでその特許権の設定登録がされ、平成３０年１０月３１日に特許掲載公報が発行された。その後の、本件特許異議の申立ての経緯は、次のとおりである。 
　平成３１年　４月２５日　　：特許異議申立人岡林茂（以下、「異議申立　　　　　　　　　　　　　　人」という。）による請求項１ないし５に係　　　　　　　　　　　　　　る特許に対する特許異議の申立て 
　令和元年　７月１０日付け：取消理由通知
　令和元年　８月２３日　　：特許権者による意見書及び訂正請求書の提出
　令和元年１０月　７日　　：異議申立人による意見書の提出 
　
第２．訂正の適否についての判断 
１．訂正の内容 
　本件訂正請求による訂正の内容は、以下のとおりである。
　請求項１に、「オーステナイト化温度から７００℃までの冷却速度が、１０００℃／ｈ以上３２００℃／ｈである焼入処理工程」と記載されているのを、
　「オーステナイト化温度から７００℃までの冷却速度が、１０００℃／ｈ以上３２００℃／ｈ
以下
　本件訂正請求は、訂正前に引用関係を有する請求項１ないし５に対して請求されたものであるから、本件訂正請求は、一群の請求項〔１−５〕について請求されている。 
 　 
２．訂正の目的の適否、新規事項の有無、及び特許請求の範囲の拡張・変更の存否 
　訂正事項は、請求項１に係る発明の「オーステナイト化温度から７００℃までの冷却速度」について、「１０００℃／ｈ以上３２００℃／ｈ
以下
　また、訂正事項は、明細書の段落【００５０】に「そして、さらに、焼入れ時の冷却速度をオーステナイト化温度から７００℃までの冷却速度を１０００℃／ｈ、以上３２００℃／ｈ以下に調整し」と記載されていることから、明細書、特許請求の範囲及び図面に記載された事項の範囲内のものと認められ、新規事項の追加に該当しない。 
　さらに、訂正事項は、カテゴリーや対象、目的を変更するものではないから、実質上特許請求の範囲を拡張し、又は変更するものではない。 　 
　
　よって、本件訂正請求による訂正は、特許法第１２０条の５第２項ただし書第３号に掲げる事項を目的とするものであり、かつ、同条第９項で準用する同法第１２６条第５項及び第６項の規定に適合する。
　したがって、特許請求の範囲を、訂正請求書に添付された訂正特許請求の範囲のとおり、訂正後の請求項〔１−５〕について訂正することを認める。
 　 
第３．訂正後の本件発明 
　本件訂正請求により訂正された請求項１ないし５に係る発明（以下、それぞれ「本件発明１」ないし「本件発明５」という。）は、訂正特許請求の範囲の請求項１ないし５に記載された次の事項により特定されるとおりのものである。  
「【請求項１】
　圧延用複合ロールの外層材の製造方法であって、
　質量％にて、Ｖ：５．５％以上１０．０％以下を含むハイス系鋳鉄材からなる合金溶湯を、凝固速度を１０ｍｍ／ｍｉｎ以上で遠心力鋳造する鋳込み工程と、
　オーステナイト化温度から７００℃までの冷却速度が、１０００℃／ｈ以上３２００℃／ｈ以下である焼入処理工程と、を含み、
　引張り強さが１１００ＭＰａ以上である、
　ことを特徴とする圧延用複合ロールの外層材の製造方法。
【請求項２】
　前記外層材は、質量％にて、さらに、Ｃ：１．８％以上２．５％以下、Ｓｉ：０％を越えて１．０％以下、Ｍｎ：０％を越えて１．０％以下、Ｎｉ：０％を越えて０．５％以下、Ｃｒ：３．０％以上８．０％以下、Ｍｏ：２．０％以上１０．０％以下、Ｗ：０％を越えて１０％以下、残部Ｆｅ及び不可避的不純物を含んでいる、
　請求項１に記載の圧延用複合ロールの外層材の製造方法。
【請求項３】
　前記外層材は、質量％にて、Ｎｂ：０．０１％以上１．０％以下及び／又はＴｉ：０．０１％以上１．０％以下をさらに含有し、Ｎｂ及び／又はＴｉとＶとの合計が５．５％以上１０％以下である、
　請求項１又は請求項２に記載の圧延用複合ロールの外層材の製造方法。
【請求項４】
　前記外層材は、質量％にて、Ｂ：０％を越えて０．０５％以下を含有する、
　請求項１乃至請求項３の何れかに記載の圧延用複合ロールの外層材の製造方法。
【請求項５】
　請求項１乃至請求項４の何れかに記載の製造方法によって製造された外層材を外層とし、該外層材の内側に内層又は中間層と内層を具える、
　圧延用複合ロールの製造方法。」
　
第４．取消理由通知に記載した取消理由について
１．取消理由通知の概要 
　訂正前の請求項１ないし５に係る特許に対して、当審が令和元年７月１０日付けで特許権者に通知した取消理由の要旨（特許法第３６条第６項第２号）は、次のとおりである。 
（１）本件発明１は、「凝固速度を１０ｍｍ／ｍｉｎ以上で遠心力鋳造する」と特定されているが、「凝固速度」に関して、本件特許明細書の段落【００１５】に「凝固時に主としてＭＣ型炭化物を構成するが、凝固速度を１０ｍｍ／ｍｉｎ以上」、及び同段落【００４３】に「表１中、凝固速度とは、遠心力鋳造時の合金溶湯の冷却速度である。」と記載されているものの、本件特許明細書には凝固速度の定義に関する具体的な説明がなく「凝固速度」とはいかなるものであるか明確でない（以下、「理由１」という。）。 
　
（２）本件発明１は、「オーステナイト化温度から７００℃までの冷却速度が、１０００℃／ｈ以上３２００℃／ｈである焼入処理工程」と特定されているが、「冷却速度」に関して、本件特許明細書の段落【００４５】に「得られた圧延用複合ロールの胴部余長部から外層部の供試材を切り出し、ロール本体に実施する熱処理と同等のオーステナイト化熱処理及び、焼入れ、焼戻し熱処理を施した。表１中、外層冷却速度とは、焼入れ時の外層のオーステナイト化温度から７００℃までの冷却速度である。なお、このとき、外層の廃棄径付近の冷却速度は４００℃／ｈ〜７００℃／ｈと推定される。」と記載されているに留まり、冷却速度とはどの部分の冷却速度を意味するかが明確でない（以下、「理由２」という。）。 
　
（３）本件発明１は、「オーステナイト化温度から７００℃までの冷却速度が、１０００℃／ｈ以上３２００℃／ｈである焼入処理工程」と特定されているが、「冷却速度」の数値範囲に関して、「１０００℃／ｈ以上３２００℃／ｈである」と記載され、「３２００℃／ｈ」が、上限値を示すものであるかどうか明確でない（以下、「理由３」という。）。 
　
（４）本件発明２ないし５は、請求項１を引用する形式で記載されているから、上記（１）ないし（３）と同様の理由で明確でない（以下、「理由４」という。）。 
　
（５）以上のとおり、本件特許の請求項１ないし５についての特許は、特許法第３６条第６項第２号に規定する要件を満たしていない特許出願に対してなされたものであるから、同法第１１３条第４号に該当し、取り消すべきものである。  
　
２．当審の判断 
（１）上記理由１について 
　「凝固速度」は、単位（ｍｍ／ｍｉｎ）からも分かるとおり、厚さ（ｍｍ）を時間（ｍｉｎ）で除したものであり、鋳込まれる外層材の厚さと、凝固に要する時間から算出されることは明らかである。
　そして、鋳込み工程は遠心力鋳造により行われており、溶湯は、金型に接する外周から内周に向けて法線方向に凝固が進行し、外層材の凝固は、凝固の最も進行の遅い内周側が凝固温度に達することで完了するから、「凝固速度」とは、所定厚さ（Ｗ（ｍｍ））の外層材を遠心鋳造により鋳込む際に、合金溶湯を金型に投入してから、外層材の内周が凝固するまでの時間（ｔ（ｍｉｎ））を測定したときにＷ／ｔ（ｍｍ／ｍｉｎ）として定義されると解される。
　また、特許権者が、令和元年８月２３日提出の意見書に添付した乙第１号証（特開２０１４−３７５５７号公報）及び乙第２号証（特開平５−１６９２１７号公報）にも、凝固速度の単位に「ｍｍ／ｍｉｎ」を用いた例が記載されていることからも、単位を「ｍｍ／ｍｉｎ」とした「凝固速度」は当業者に知られているといい得る。
　したがって、本件発明１における「凝固速度」について、その定義は明確である。
　
（２）上記理由２について
　焼入れ処理は、外層表面の耐摩耗性等を向上させるために行われるものであることは明らかである。
　また、段落【００３７】に「望ましくは、圧延用複合ロールには、焼入処理を施す。このとき、外層材の焼入れ時の冷却速度は、オーステナイト化温度から７００℃までの冷却速度を１０００℃／ｈ以上、３２００℃／ｈ以下に調整する。」と記載され、段落【００４５】に「外層冷却速度とは、焼入れ時の外層のオーステナイト化温度から７００℃までの冷却速度である。なお、このとき、外層の廃棄径付近の冷却速度は４００℃／ｈ〜７００℃／ｈと推定される。」と記載され、さらに、段落【００３６】に「鋳造された外層材には、内層又は中間層と内層を鋳込んだり、焼き嵌め等することで圧延用複合ロールが作製される。」と記載されていることから、外層材の冷却速度とは、内層又は中間層と接しない側の部分で、廃棄径よりも外側の部分、すなわち、外層の表面側の冷却速度を意味すると解される。
　したがって、本件発明１における「冷却速度」が、外層のどの部分の冷却速度であるか明確である。
　
（３）上記理由３について
　本件訂正請求により、「オーステナイト化温度から７００℃までの冷却速度」について、「１０００℃／ｈ以上３２００℃／ｈ
以下
　したがって、上記理由３は解消した。
　
（４）上記理由４について
　本件発明２ないし５は、本件発明１を引用するものであるが、上記（１）ないし（３）に示したとおり、本件発明１は明確であるから、本件発明１を引用する本件発明２ないし５も明確である。
　
（５）異議申立人の主張
　異議申立人は、令和元年１０月７日提出の意見書に甲第１１号証（特開２００９−１６６０８３号公報）を添付するとともに、同意見書４ページ８ないし１５行で、複合ロールの外層材のどの部分までが本件発明１で規定する引張り強さが１１００ＭＰａ以上であるか不明確である旨を主張している。
　当該主張は、訂正の請求に付随して生じた事項についてのものではないが、事案に鑑み一応検討すると、本件発明１の発明特定事項は、ロールの外層材に引張り強さが１１００ＭＰａ以上である部分が含まれていることを意味するものであって、外層材の特定の場所の引張り強さを意味するものではなく、この記載自体が不明確なものであるともいえない。
　したがって、異議申立人の当該主張を採用することはできない。
　
（６）まとめ
　以上のとおりであるから、請求項１ないし５に係る特許は、特許法第３６条第６項第２号に規定する要件を満たしている。
　
第５．取消理由通知において採用しなかった特許異議申立理由について
１．特許法第２９条第２項
（１）申立理由の概要 
　異議申立人は、証拠として、下記の甲第１ないし１０号証を提出して、請求項１ないし５に係る特許は特許法第２９条第２項の規定に違反してされたものであるから、請求項１ないし５に係る特許を取り消すべきものである旨主張している。  
　甲第１号証：特開平１０−８２１２号公報
　甲第２号証：特開平５−３２０７４７号公報
　甲第３号証：特開平６−３３０２３５号公報
　甲第４号証：淀川製鋼所ホームページ、［２０１８年１０月１０日検索］、インターネット＜ＵＲＬ：http://www.yodoko.co.jp/product/roll/steel, html＞
　甲第５号証：特開２００９−２２１５７３号公報
　甲第６号証：野田俊、鋳物用銑鉄と鋼スクラップの動向及び高純度銑の鋳物品質への影響、鋳造工学、日本鋳造工学会、第７９巻（２００７）第８号、４３０ないし４３４ページ
　甲第７号証：東京製鐵株式会社、平成２５年度鉄スクラップの高度利用化調査業務報告書、平成２６年３月
　甲第８号証：秋吉孝則、原材料の規格と分析法、ぶんせき、日本分析化学会、２００７　１１、５６９ないし５７０ページ
　甲第９号証：坂本敏正　外４名、鋳物用銑鉄中の微量不純物元素の役割について、鋳物、日本鋳物協会、第５３巻　第８号、４６６ないし４７１ページ
　甲第１０号証：岩波理化学辞典　第５版、岩波書店、１３８８ないし１３８９ページ
　
（２）甲第１号証の記載  
ア．記載事項（下線は当審で付した。以下、同じ。）
（ア）「【請求項１】
　少なくともロールの外殻層が、重量％でＣ：１．５〜３％、Ｃｒ：０．５〜５％、Ｍｏ：０．５〜８％、Ｖ：１〜８％、Ｗ：１超〜８％、Ｎｂ：０．１〜５％およびＢ：０．０１〜１％を含有する高炭素高速度鋼からなり、その組織中に粒径が１５μｍ以下で、各粒の長径と短径の比が２以下であるＭＣ型炭化物が面積率で５〜２０％の範囲で存在することを特徴とする熱間圧延用ロール。」
　
（イ）「【０００１】
【発明の属する技術分野】
本発明は、鋼材の熱間圧延に用いられる熱間圧延用ロールに係わり
　
（ウ）「【００１９】Ｖ：１〜８％
Ｖは、Ｃと結合してＭＣ型炭化物を形成して、耐摩耗性、耐事故性改善に役立つ。しかし、１％未満では、耐摩耗性改善効果が少なく、一方８％を超えると炭化物量が増加し、耐熱亀裂性を低下させる。したがって、Ｖ含有量は１〜８％とした。好ましくは、２〜６．５％である。
　
（エ）「【００３５】次に、炭化物の量および大きさは化学成分によりほぼ決まるが、鋳込み後の凝固速度も若干影響を及ぼす。
炭化物は、凝固速度が遅いと粗大化し、逆に凝固速度が速くなると微細化する傾向にある。凝固開始から終了までおよそ３００〜６００秒程度の範囲で調整することにより炭化物の生成量等の制御ができる。
　
（オ）「【００３７】本発明の熱間圧延用ロールは、複合型ロールにする場合は遠心力鋳造法、鋳掛け法などにより製造でき、また一体ロールは静置鋳造法、鍛造法などによって製造することができる。」
　
（カ）「【００３９】
【実施例】
表１に示す化学組成の高炭素系高速度鋼を外殻層とし、ダクタイル鋳鉄を内層とした胴部直径７５０ｍｍ、胴長１８００ｍｍ、全長３８００ｍｍの複合ロールを遠心力鋳造法により製造した。外層材の厚さは全て１００ｍｍとした。
　 
（キ）「【００４１】
【表１】のＮｏ．１のＶの化学組成が６．０重量％、Ｎｏ．４の
Ｖの化学組成が５．６重量％
Ｖの化学組成が６．４重量％
　
（ク）「【００４２】また、
鋳造したロールについて組織調整、残留応力除去および硬度調整のための熱処理を下記の条件で行った。
【００４３】
焼入れ
焼戻し：５００〜５５０℃
このようにして得られた各ロールの表層部の一部を切り出し、電解法によりＭＣ型炭化物を抽出して各々の粒の長径と短径の比を光学顕微鏡を用いて測定した。また、切り出した試片のロール表面を研磨して画像処理によりＭＣ型炭化物の面積率を求めた。これらの結果を表２に示す。」
　
イ．認定事項 
（ケ）摘記事項（イ）の「本発明は、鋼材の熱間圧延に用いられる熱間圧延用ロールに係わり」との記載、摘記事項（カ）の「表１に示す化学組成の高炭素系高速度鋼を外殻層とし、ダクタイル鋳鉄を内層とした胴部直径７５０ｍｍ、胴長１８００ｍｍ、全長３８００ｍｍの複合ロールを遠心力鋳造法により製造した。外層材の厚さは全て１００ｍｍとした。」との記載、及び、摘記事項（キ）の「Ｖの化学組成が５．６重量％」並びに「Ｖの化学組成が６．４重量％」との記載によれば、熱間圧延用の複合ロールの外殻層を構成する外層材は、Ｖを５．６重量％以上６．４重量％以下含む高炭素系高速度鋼からなることが理解できる。
　
（コ）摘記事項（エ）の「炭化物は、凝固速度が遅いと粗大化し、逆に凝固速度が速くなると微細化する傾向にある。凝固開始から終了までおよそ３００〜６００秒程度の範囲で調整することにより炭化物の生成量等の制御ができる。」との記載、及び摘記事項（カ）の「複合ロールを遠心力鋳造法により製造した。外層材の厚さは全て１００ｍｍとした。」との記載によれば、遠心力鋳造法により製造される複合ロールの１００ｍｍの外層材は、３００〜６００秒で凝固すること、すなわち、複合ロールの外層材が、１０ｍｍ／ｍｉｎ以上２０ｍｍ／ｍｉｎ以下の凝固速度で遠心力鋳造されることが理解できる。
　
（サ）摘記事項（ク）の「鋳造したロールについて組織調整、残留応力除去および硬度調整のための熱処理を下記の条件で行った。」及び「焼入れ」との記載によれば、鋳造したロールを焼入処理されることが理解できる。
　
ウ．甲第１号証に記載された発明
　甲第１号証の摘記事項（ア）ないし（ク）、認定事項（ケ）ないし（サ）、及び技術常識を勘案すると、甲第１号証には以下の発明が記載されていると認められる。 
「熱間圧延用の複合ロールの外殻層を構成する外層材の製造方法であって、
　Ｖを５．６重量％以上６．４重量％以下含む高炭素系高速度鋼からなる合金溶湯を、凝固速度を１０ｍｍ／ｍｉｎ以上２０ｍｍ／ｍｉｎ以下で遠心力鋳造する鋳込み工程と、
　焼入処理工程と、を含む
　熱間圧延用の複合ロールの外殻層を構成する外層材の製造方法。」（以下「甲第１号証に記載された発明」という。）
　
（３）本件発明１について 
ア．対比  
　本件発明１と甲第１号証に記載された発明とを対比すると、本件発明１と甲第１号証に記載された発明は、以下の点で一致し、かつ相違する。 
　
＜一致点＞  
「圧延用複合ロールの外層材の製造方法であって、
　質量％にて、Ｖ：５．６％以上６．４％以下を含むハイス系鋳鉄材からなる合金溶湯を、凝固速度を１０ｍｍ／ｍｉｎ以上で遠心力鋳造する鋳込み工程と、
　オーステナイト化温度から冷却する焼入処理工程と、を含む、
　圧延用複合ロールの外層材の製造方法。」
　
＜相違点＞  
　本件発明１は、「オーステナイト化温度から７００℃までの冷却速度が、１０００℃／ｈ以上３２００℃／ｈ以下である焼入処理工程」を含み、「圧延用複合ロールの外層材」の「引張り強さが１１００ＭＰａ以上である」のに対し、甲第１号証に記載された発明は、オーステナイト化温度から冷却される焼入れ処理工程」を有するものの、オーステナイト化温度から７００℃までの冷却速度が、１０００℃／ｈ以上３２００℃／ｈ以下であるかどうかが明らかでなく、引張り強さか明らかでない点。
 　 
イ．当審の判断  
（ア）甲第１号証に記載された発明に甲第２号証に記載された事項を適用する場合について
　甲第２号証には、「（３）外表面急加熱：加熱速度６００℃以上  において８００℃／Ｈｒ　最高温度１１８０℃（４）冷却：冷却速度６００℃まで１０００℃／Ｈｒ」（【００１９】なお、（３）は丸付き数字を代替表記したものである。以下、同じ。）と記載されているものの、冷却工程の後に「（５）焼きもどし：５５０℃×１０Ｈｒ×３回」（【００１９】）という工程を伴うものである。
　したがって、甲第１号証に記載された発明に、ロールの熱処理として甲第２号証に記載された事項における「（３）外表面急加熱」の工程と「（４）冷却」の工程のみを適用することができたとしても、「圧延用複合ロールの外層材」の「引張り強さが１１００ＭＰａ以上」になるかどうかは不明である。
　よって、甲第１号証に記載された発明に甲第２号証に記載された事項を適用できたとしても、相違点に係る本件発明１の発明特定事項を想到することにはならないから、本件発明１は、甲第１号証に記載された発明及び甲第２号証に記載された事項に基いて、当業者が容易に発明することができたものではない。  
　
（イ）甲第１号証に記載された発明に甲第３号証に記載された事項を適用する場合について
　甲第３号証には、「（３）次に、各試料を１１００℃に加熱し、６００℃／Ｈの冷却速度で焼入れ後、５５０℃で焼戻し後、硬度を測定した。」（【００１６】）と記載されているように、そもそも冷却速度が１０００℃／ｈ以上３２００℃／ｈ以下である本件発明１とは異なるものである。
　したがって、甲第１号証に記載された発明に甲第３号証に記載された事項を適用することができたとしても、「オーステナイト化温度から７００℃までの冷却速度が、１０００℃／ｈ以上３２００℃／ｈ以下である焼入処理工程」を含むものとはならない。
　よって、甲第１号証に記載された発明に甲第３号証に記載された事項を適用できたとしても、相違点に係る本件発明１の発明特定事項を想到することにはならないから、本件発明１は、甲第１号証に記載された発明及び甲第３号証に記載された事項に基いて、当業者が容易に発明することができたものではない。 　                    
　
（ウ）また、甲第４ないし１０号証を参照しても、相違点に係る発明特定事項について記載も示唆もない。
　
（エ）まとめ
　以上のとおり、本件発明１は、甲第１号証に記載された発明及び甲第２ないし１０号証に記載された事項に基いて、当業者が容易に発明することができたものではない。
 　  
ウ．異議申立人の主張  
　異議申立人は、相違点に係る発明特定事項は、甲第２または３号証に記載された事項に基いて、当業者が容易に想到できた旨を主張しているが、上記イ．に説示するとおりであるから、当該主張は採用できない。
　
（４）本件発明２ないし５について  
　本件発明２ないし５は、本件発明１を直接的に引用しており、本件発明１の発明特定事項を全て含み、さらに構成を限定するものであるから、本件発明１と同様に、甲第１号証に記載された発明及び甲第２ないし１０号証に記載された事項に基いて、当業者が容易に発明することができたものではない。
　
２．特許法第３６条第６項第１号  
（１）異議申立人は、特許異議申立書２９ページ２ないし１３行において、本件明細書では、凝固速度の定義が不明瞭であって、引張り強さの高い圧延用複合ロールの外層材を製造する方法について、発明の詳細な説明の記載が不足している旨を主張している。  
　しかしながら、上記第４．２．（１）に説示するとおり、凝固速度の定義は明確であり、本件発明の詳細な説明の記載が不足しているとも解されないから、異議申立人の主張は理由はない。 
　
（２）異議申立人は、令和元年１０月７日提出の意見書６ページ２ないし９行で、複合ロールの外層材全体の引張り強さを規定する本件発明１は、本件特許明細書に開示されていない発明である旨を主張している。 
　しかしながら、上記第４．２．（５）に説示するとおり、本件発明１の「引張り強さが１１００ＭＰａ以上である」という特定事項は、ロールの外層材に引張り強さが１１００ＭＰａ以上である部分が含まれていることを意味するものであって、外層材全体の強さを規定するものでないから、異議申立人の主張は理由はない。
　
３． 特許法第３６条第４項第１号 
（１）異議申立人は、特許異議申立書３０ページ１ないし１０行において、本件明細書では、凝固速度は外層のどの部位における速度であるのか何ら記載されておらず、凝固速度の技術的意味が不明であるため、発明の詳細な説明を考慮しても、引張り強さの高い圧延用複合ロールの外層材を製造することができない旨を主張している。  
　しかしながら、上記第４．２．（１）に説示するとおり、凝固速度の定義は明確であり、その測定方法も通常のものであると解されるから、本件特許明細書の記載から本件圧延用複合ロールの外層材を製造することができないとまではいえない。 
　よって、異議申立人の主張は理由はない。　
　
第６．むすび  
　以上のとおりであるから、取消理由通知に記載した取消理由及び特許異議申立書に記載した特許異議申立理由によっては、本件請求項１ないし５に係る特許を取り消すことはできない。  
　また、他に本件請求項１ないし５に係る特許を取り消すべき理由を発見しない。  
　よって、結論のとおり決定する。
【異議決定日】
令和１年１２月１２日（２０１９．１２．１２）
【訂正の要旨】
審決（決定）の【理由】欄参照。
（５７）【特許請求の範囲】
　【請求項１】
　圧延用複合ロールの外層材の製造方法であって、
　質量％にて、Ｖ：５．５％以上１０．０％以下を含むハイス系鋳鉄材からなる合金溶湯を、凝固速度を１０ｍｍ／ｍｉｎ以上で遠心力鋳造する鋳込み工程と、
　オーステナイト化温度から７００℃までの冷却速度が、１０００℃／ｈ以上３２００℃／ｈ
以下
　引張り強さが１１００ＭＰａ以上である、
　ことを特徴とする圧延用複合ロールの外層材の製造方法。
　【請求項２】
　前記外層材は、質量％にて、さらに、Ｃ：１．８％以上２．５％以下、Ｓｉ：０％を越えて１．０％以下、Ｍｎ：０％を越えて１．０％以下、Ｎｉ：０％を越えて０．５％以下、Ｃｒ：３．０％以上８．０％以下、Ｍｏ：２．０％以上１０．０％以下、Ｗ：０％を越えて１０％以下、残部Ｆｅ及び不可避的不純物を含んでいる、
　請求項１に記載の圧延用複合ロールの外層材の製造方法。
　【請求項３】
　前記外層材は、質量％にて、Ｎｂ：０．０１％以上１．０％以下及び／又はＴｉ：０．０１％以上１．０％以下をさらに含有し、Ｎｂ及び／又はＴｉとＶとの合計が５．５％以上１０％以下である、
　請求項１又は請求項２に記載の圧延用複合ロールの外層材の製造方法。
　【請求項４】
　前記外層材は、質量％にて、Ｂ：０％を越えて０．０５％以下を含有する、
　請求項１乃至請求項３の何れかに記載の圧延用複合ロールの外層材の製造方法。
　【請求項５】
　請求項１乃至請求項４の何れかに記載の製造方法によって製造された外層材を外層とし、該外層材の内側に内層又は中間層と内層を具える、
　圧延用複合ロールの製造方法。